(57)【要約】【課題】ハンモック包装において、輸送中の結露と、それが引き起こす被包装物への悪影響を防ぐことができる、通気性を有するハンモック包装容器を提供する。【解決手段】枠体（１１）の一方の面に設けた窓の部分に弾性シート（１２）が張り渡されている支持体を２個、それらの弾性シート面が対向するように配置して上側の支持体（１Ａ）および下側の支持体（１Ｂ）としたものと、支持体の寸法に対応する内寸をもった外箱（３）とを本質的な構成要素とするハンモック包装容器において、弾性シート（１２）の少なくとも一方、好ましくは両方に、伸縮性をもった不織布、たとえば熱可塑性エラストマーのスパンボンド不織布を使用したハンモック包装容器。【選択図】    図１
2004238015.tif 000002
【特許請求の範囲】
【請求項１】
所定の厚さの枠体（１１）の一方の面に設けた窓の部分に弾性シート（１２）が張り渡されている支持体を２個、それらの弾性シート面が対向するように配置して上側の支持体（１Ａ）および下側の支持体（１Ｂ）としたものと、支持体の寸法に対応する内寸をもった外箱（３）とを本質的な構成要素とするハンモック包装容器において、弾性シート（１２）の少なくとも一方に、伸縮性をもった不織布を使用したことを特徴とする通気性を有するハンモック包装容器。
【請求項２】
伸縮性をもった不織布が、熱可塑性エラストマーのスパンボンド不織布である請求項１のハンモック包装容器。
【請求項３】
熱可塑性エラストマーが、メタロセン触媒を用いた重合によるポリオレフィン・エラストマーである請求項２のハンモック包装容器。
【請求項４】
電気・電子部品を、結露を防止しつつ輸送するための請求項１ないし３のいずれかのハンモック包装容器。
【発明の詳細な説明】
【０００１】
【発明の属する技術分野】
本発明は、いわゆる「ハンモック包装容器」の改良に関し、とくに電気部品、電子部品を、結露を防止しつつ輸送することができる包装容器を提供する。
【０００２】
【従来の技術】
各種の電気部品、電子部品のように、比較的小型かつ軽量であって、一方で輸送中に衝撃を加えることは極力避けたい物品の包装に、ハンモック包装が行なわれている。ハンモック包装は、基本的には図１に示すように、段ボール紙や厚紙で製造した、上部が開放された薄い箱の形をした枠体（１１）の底面を大部分窓としてくりぬき、この窓に丈夫な弾性シート（１２）、たとえばポリウレタン系熱可塑性エラストマーのシートを張り渡して上側の支持体（１Ａ）および下側の支持体（１Ｂ）を形成し、それらの弾性シート面が対向するように配置し、その間に被包装物（５）を挟み、それらを、内側の寸法が、支持体の長さ・幅より僅か大きい縦・横と、支持体の厚さの２倍またはそれを若干超える高さである外箱（３）の中に収容して、包装を完成するものである。弾性シート（１２）は、被包装物の外形に応じて弾性的に伸長して被包装物（５）を支える。
【０００３】
ハンモック包装容器に関して、出願人は以前から開発の努力を続けており、これまでにいくつかの改良を提案している。それらは、被包装物を静電気から保護するため、導電性の弾性シートを使用するとともに箱の内面に導電性層を設けたもの（特開平１０−２９６２５）、弾性シートとして気泡シートを使用し、被包装物が異形のものであっても追従が容易であるようにした、緩衝保持能力が高いもの（特開平１０−３５７３７）、２枚の支持体を一体に製作したもの（特開平１０−１１９９５７）、支持体と外箱とを一体に製作したもの（特開平１０−５９３５３、特開２０００−３３５５５８）などである。
【０００４】
これらに続き、最近、必要に応じて１個または２個以上の複数個の被包装物を一箱に包装することができ、しかも収容されている個数を一目で見分けることができ、さらには、異なる寸法の被包装物に対して、それらに適合する支持体を一々用意しなくても対応することができるようにした、モジュール化されたハンモック包装容器を開示した（特願２００２−２４１４９８）。
【０００５】
デリケートで取り扱いに注意を要する電気部品、電子部品の緩衝包装には、まず静電気の問題があったが、その後、輸送中の結露が問題として浮かび上がって来た。とくに海外に輸出する製品は、ハンモック包装容器に包装した状態でも、船舶による場合は長い時間にわたってさまざまな環境条件下に置かれ、その間に結露が生じ、製品に悪影響があることが経験された。航空機による貨物輸送は、時間的には短いが、高空で低温にさらされるなど、結露が引き起こす問題は、いっそう深刻である。
【０００６】
【発明が解決しようとする課題】
この問題に取り組んだ発明者らは、被包装物の表面に生じる結露は、ハンモック包装において、２枚の弾性シートにより挟まれた被包装物の周囲の空間が、ほぼ密閉された状態にあり、弾性シートの外側の空間との温度差によって、ほぼ密閉された空間の内部が、露点を下回る条件になるためであることを見出した。本発明の目的は、このような条件が生じることを避け、輸送中の結露と、それが引き起こす被包装物への悪影響を防ぐことができるハンモック包装容器を提供することにある。
【０００７】
【課題を解決するための手段】
上記の目的を達成する本発明のハンモック包装容器は、図１に示した構成のハンモック包装容器、すなわち、所定の厚さの枠体（１１）の一方の面に設けた窓の部分に弾性シート（１２）が張り渡されている支持体を２個、それらの弾性シート面が対向するように配置して上側の支持体（１Ａ）および下側の支持体（１Ｂ）としたものと、支持体の寸法に対応する内寸をもった外箱（３）とを本質的な構成要素とするハンモック包装容器において、弾性シート（１２）の少なくとも一方に、伸縮性をもった不織布を使用したことを特徴とする、通気性を有するハンモック包装容器である。
【０００８】
不織布は、布であるから、フィルムないしシートとは違って、十分な通気性を有する。ハンモック包装容器を構成する弾性シート（１２）のうち、少なくとも一方、好ましくは両方が不織布であることにより、通気性が生じ、２枚の弾性シートが向き合って配置され、被包装物の形状に応じて伸長し、被包装物を包んで弾性的に支えることにより形成された被包装物を取り囲む空間が、弾性シートの外側の空間との間で、空気の流通が可能な状態になる。その結果、被包装物を取り囲む空間が露点以下の条件になることが避けられ、結露が防止できるわけである。
【０００９】
【発明の実施形態】
伸縮性をもった不織布として実用化されているものの例は、熱可塑性エラストマーのスパンボンド不織布である。とくに、熱可塑性エラストマーには、メタロセン触媒を用いた重合によるポリオレフィン・エラストマーが好適である。
【００１０】
本発明の通気性を有するハンモック包装容器は、弾性シートが上記の条件を満たす限り、２枚の支持体および外箱の形状・寸法、さらには支持体の数、支持体と外箱との関係などは、包装しようとする物品の種類、形状・寸法に応じて、任意に選択できる。ハンモック包装容器には、前述したような、出願人が開発して開示したものを含め、さまざまな変更態様が考案され実施されているが、そのいずれに対しても、本発明は適用可能である。具体的には、２枚の支持体を一体に製作したものや、支持体と外箱とを一体に製作したものなどの変更態様への適用である。
【００１１】
このハンモック包装容器を構成する、上下両側の支持体および外箱の材料は任意であるが、厚紙、段ボール紙およびプラスチックシートからえらんだものが好適である。
【００１２】
【実施例】
支持体および外箱の材料として厚さ１．５ｍｍの段ボール紙（Ｅフルート）を使用し、弾性シートとしてエラストマースパンボンド不織布「ストラフレックスＰＮ２１００」（出光ユニテック（株））を選択した。この不織布は、下記の物性をもっている。
2004238015.tif 000003
【００１３】
これらの材料を使用して、つぎの仕様をもつハンモック包装容器を組立てた。［支持体］２枚
厚さ：３０ｍｍ    たて：１４０ｍｍ×よこ：１１０ｍｍ
窓の大きさ：たて：１２０ｍｍ×よこ：９０ｍｍ
［外  箱］
ロ字断面形、内寸の厚さ：６５ｍｍ、たて：１４５ｍｍ×よこ：１１５ｍｍ
【００１４】
このスパンボンド不織布を張った通気性を有するハンモック包装容器で、電子部品（内蔵型の小型ＨＤＤ装置）を包装した。室内から冷蔵庫内に入れ、１時間後に取り出して調べたが、被包装物である電子部品の表面に、結露はしていなかった。比較のため、同じ寸法・形状の支持体および外箱を組み合わせ、弾性シートとして在来のポリウレタンフィルムを使用したほかは同じ仕様のハンモック包装容器で包装した場合は、電子部品の表面に明らかな結露が認められた。
【００１５】
【発明の効果】
本発明の通気性を有するハンモック包装容器は、支持体の窓に張る弾性シートとして不織布を使用したから、被包装物を挟んで包装したときに、弾性シートに挟まれた被包装物が存在する空間が、弾性シートの外側の空間と連絡しており、空気の流通が容易である結果、包装体の周囲の温度や雰囲気が変化したときに、被包装物を囲む空間の温度や雰囲気が周囲に追従して変化する。従来の通気性のない弾性シートを用いたハンモック包装容器であると、周囲の温度が低下したときに、一定の水分を保持したままの雰囲気が冷却されて結露が生じるのに対し、本発明のハンモック包装容器は、それが避けられて、被包装物の表面に結露を生じることがない。
【００１６】
ハンモック包装容器の弾性シートとして不織布を使用することのもう一つの利点は、裂けにくいことである。被包装物が鋭い角をもっていたり、ＩＣ回路のようにリードが出ていたりすると、フィルム状の弾性シートは、容易に裂けてしまう。これは、弾性シートの宿命的な弱点である。一方、不織布は、繊維の絡み合いでシートが形成されているから、たとえ不織布を構成する繊維の一部が切れても、その影響が周囲に及んで裂け目が拡大すると可能性がない。したがって本発明のハンモック包装容器は、フィルム状の弾性シートを用いた在来のハンモック包装容器とちがって、使用中に緩衝包装機能が失われるという心配がない。
【図面の簡単な説明】
【図１】本発明の通気性を有するハンモック包装容器の一例を示す展開斜視図。
【符号の説明】
１Ａ  上側支持体
１Ｂ  下側支持体
１１  枠体
１２  弾性シート
３  外箱
５  被包装物
【図１】
2004238015.tif 000004